【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
一般式
【化１】
1997323983.tif 000001
〔式中、Ｒ1はハロゲン原子、置換されていてもよい複素環基、置換されていてもよいヒドロキシ基、置換されていてもよいチオール基または置換されていてもよいアミノ基を、Ａは置換されていてもよいアシル基、置換されていてもよい複素環基、置換されていてもよいヒドロキシ基またはエステル化もしくはアミド化されていてもよいカルボキシ基を、Ｂは置換されていてもよい芳香族基を、Ｙは２価の脂肪族炭化水素基を示す〕で表される化合物またはその塩。
【請求項２】
Ｒ1が置換されていてもよい複素環基である請求項１記載の化合物。
【請求項３】
複素環基が、（i）環構成原子として炭素以外に窒素原子、酸素原子および硫黄原子から選ばれる１ないし４個の原子を含む５または６員環、または（ii）この５または６員環と、１または２個の窒素原子を含む６員環、ベンゼン環または１個の窒素原子を含む５員環との縮合環である請求項２記載の化合物。
【請求項４】
複素環基がアゾリル基である請求項２記載の化合物。
【請求項５】
Ａが置換されていてもよい複素環基である請求項１記載の化合物。
【請求項６】
複素環基が、（i）環構成原子として炭素以外に窒素原子、酸素原子および硫黄原子から選ばれる１ないし４個の原子を含む５または６員環、または（ii）この５または６員環と、１または２個の窒素原子を含む６員環、ベンゼン環または１個の窒素原子を含む５員環との縮合環である請求項５記載の化合物。
【請求項７】
複素環基がアゾリル基、アゾリニル基またはアゾリジニル基である請求項５記載の化合物。
【請求項８】
Ｒ1およびＡで表される置換されていてもよい複素環基が、脂肪族炭化水素基、脂環式炭化水素基、アリール基、芳香族複素環基、非芳香族複素環基、ハロゲン原子、ニトロ基、置換されていてもよいアミノ基、置換されていてもよいアシル基、置換されていてもよいヒドロキシ基、置換されていてもよいチオール基およびエステル化もしくはアミド化されていてもよいカルボキシ基から選ばれる１ないし３個の置換基を有していてもよい２−ピリジル、３−ピリジル、４−ピリジル、２−ピリミジニル、５−ピリミジニル、６−ピリミジニル、３−ピリダジニル、４−ピリダジニル、２−ピラジニル、１−ピロリル、２−ピロリル、１−イミダゾリル、２−イミダゾリル、４−イミダゾリル、５−イミダゾリル、１−ピラゾリル、３−ピラゾリル、４−ピラゾリル、イソオキサゾリル、イソチアゾリル、２−チアゾリル、４−チアゾリル、５−チアゾリル、２−オキサゾリル、４−オキサゾリル、５−オキサゾリル、１,２,４−オキサジアゾール−５−イル、１,２,４−トリアゾール−１−イル、１,２,４−トリアゾール−３−イル、１,２,３−トリアゾール−２−イル、１,２,３−トリアゾール−４−イル、テトラゾール−１−イル、テトラゾール−５−イル、ベンズイミダゾール−１−イル、ベンズイミダゾール−２−イル、インドール−１−イル、インドール−３−イル、１Ｈ−インダゾール−１−イル、１Ｈ−ピロロ〔２,３−ｂ〕ピラジン−１−イル、１Ｈ−ピロロ〔２,３−ｂ〕ピリジン−１−イル、１Ｈ−イミダゾ〔４,５−ｂ〕ピリジン−１−イル、１Ｈ−イミダゾ〔４,５−ｃ〕ピリジン−１−イル、１Ｈ−イミダゾ〔４,５−ｂ〕ピラジン−１−イル、１−ピロリジニル、ピペリジノ、モルホリノ、１−ピペラジニル、ヘキサメチレンイミン−１−イル、オキサゾリジン−３−イル、チアゾリジン−３−イル、イミダゾリジン−３−イル、イミダゾリン−１−イル、イミダゾリン−２−イル、オキサゾリン−２−イル、チアゾリン−２−イル、オキサジン−２−イル、２−オキソイミダゾリジン−１−イル、２,４−ジオキソイミダゾリジン−３−イル、２,４−ジオキソオキサゾリジン−３−イルまたは２,４−ジオキソチアゾリジン−３−イル基である請求項２または５記載の化合物。
【請求項９】
Ａが置換されていてもよいヒドロキシ基である請求項１記載の化合物。
【請求項１０】
Ｒ1が（１）ハロゲン原子、
（２）ピリジル、ピリミジニル、ピリダジニル、ピラジニル、ピロリル、イミダゾリル、ピラゾリル、イソオキサゾリル、イソチアゾリル、チアゾリル、オキサゾリル、１,２,４−オキサジアゾリル、１,２,４−トリアゾリル、１,２,３−トリアゾリル、テトラゾリル、ベンズイミダゾリル、インドリル、１Ｈ−インダゾリル、１Ｈ−ピロロ〔２,３−ｂ〕ピラジニル、１Ｈ−ピロロ〔２,３−ｂ〕ピリジニル、１Ｈ−イミダゾ〔４,５−ｂ〕ピリジニル、１Ｈ−イミダゾ〔４,５−ｃ〕ピリジニル、１Ｈ−イミダゾ〔４,５−ｂ〕ピラジニル、ピロリジニル、ピペリジニル、モルホリニル、ピペラジニル、ヘキサメチレンイミニル、オキサゾリジニル、チアゾリジニル、イミダゾリジニル、オキサゾリニル、チアゾリニルまたはオキサジニル基で、これらの基はそれぞれ（i）Ｃ１−１０アルキル基、Ｃ２−１０アルケニル基またはＣ２−１０アルキニル基、（ii）Ｃ３−１０シクロアルキル基、Ｃ３−１０シクロアルケニル基またはＣ４−１０シクロアルカジエニル基、（iii）Ｃ６−１４アリール基、（iv）フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル基、（v）オキシラニル、アゼチジニル、オキセタニル、チエタニル、テトラヒドロフリル、チオラニル、ピペリジル、テトラヒドロピラニル、モルホリニル、チオモルホリニル、ピペラジニル、ピロリジニル、ピペリジノ、モルホリノまたはチオモルホリノ基（前記（ii）、（iii）、（iv）および（v）はそれぞれＣ１−６アルキル、Ｃ２−６アルケニル、Ｃ２−６アルキニル、Ｃ３−７シクロアルキル、Ｃ６−１４アリール、チエニル、フリル、ピリジル、オキサゾリル、チアゾリル、テトラヒドロフリル、モルホリノ、ピペリジノ、ピロリジノ、ピペラジノ、Ｃ７−９アラルキル、アミノ、Ｎ−モノ−Ｃ１−４アルキルアミノ、Ｎ，Ｎ−ジ−Ｃ１−４アルキルアミノ、Ｃ２−８アシルアミノ、アミジノ、Ｃ２−８アシル、カルバモイル、Ｎ−モノ−Ｃ１−４アルキル−カルバモイル、Ｎ，Ｎ−ジ−Ｃ１−４アルキル−カルバモイル、スルファモイル、Ｎ−モノ−Ｃ１−４アルキルスルファモイル、Ｎ，Ｎ−ジ−Ｃ１−４アルキルスルファモイル、カルボキシ、Ｃ１−７アルコキシ−カルボニル、ヒドロキシ、Ｃ１−４アルコキシ、Ｃ２−５アルケニルオキシ、Ｃ３−７シクロアルキルオキシ、Ｃ７−９アラルキルオキシ、Ｃ６−１４アリールオキシ、メルカプト、Ｃ１−４アルキルチオ、Ｃ７−９アラルキルチオ、Ｃ６−１４アリールチオ、スルホ、シアノ、アジド、ニトロ、ニトロソおよびハロゲンから選ばれる１ないし３個の置換基を有していてもよい）、（vi）ハロゲン原子、（vii）ニトロ基、（viii）Ｃ１−１０アルキル、Ｃ２−１０アルケニル、Ｃ３−１０シクロアルキル、Ｃ１−１０アシルおよびＣ６−１２アリールから選ばれる１または２個の置換基を有していてもよいアミノ基、（ix）Ｃ１−３アルキル、Ｃ１−３アルコキシ、ハロゲン、ニトロ、ヒドロキシまたはアミノで置換されていてもよいＣ１−１３アシル基、（x）ヒドロキシ基、Ｃ１−１０アルコキシ基、Ｃ２−１０アルケニルオキシ基、Ｃ７−１０アラルキルオキシ基、Ｃ２−１３アシルオキシ基、１または２個のハロゲンまたはＣ１−４アルコキシで置換されていてもよいＣ６−１４アリールオキシ基、Ｃ１−１０アルキルスルホニルオキシ基、またはＣ１−６アルキルで置換されていてもよいＣ６−１２アリールスルホニルオキシ基、（xi）フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいチオールまたはＣ１−１０アルキルチオ基、Ｃ１−６アルキルで置換されて��てもよいＣ６−１４アリールチオ基、Ｃ７−１０アラルキルチオ基またはＣ２−１３アシルチオ基、（xii）カルボキシ基、Ｃ１−４アルコキシ−カルボニル基、Ｃ７−９アラルキルオキシ−カルボニル基、Ｃ６−１４アリールオキシ−カルボニル基またはフリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいＣ１−４アルコキシ−カルボニル基、（xiii）式：−ＣＯＮ(Ｒ5)(Ｒ6)〔式中、Ｒ5およびＲ6はそれぞれ水素原子；Ｃ１−１０アルキル、Ｃ２−１０アルケニルまたはＣ２−１０アルキニル；Ｃ３−１０シクロアルキル、Ｃ３−１０シクロアルケニル、Ｃ４−１０シクロアルカジエニル、フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フ���ナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル（これらの基は、Ｃ１−６アルキル、Ｃ２−６アルケニル、Ｃ２−６アルキニル、Ｃ３−７シクロアルキル、Ｃ６−１４アリール、チエニル、フリル、ピリジル、オキサゾリル、チアゾリル、テトラヒドロフリル、モルホリノ、ピペリジノ、ピロリジノ、ピペラジノ、Ｃ７−９アラルキル、アミノ、Ｎ−モノ−Ｃ１−４アルキルアミノ、Ｎ，Ｎ−ジ−Ｃ１−４アルキルアミノ、Ｃ２−８アシルアミノ、アミジノ、Ｃ２−８アシル、カルバモイル、Ｎ−モノ−Ｃ１−４アルキル−カルバモイル、Ｎ，Ｎ−ジ−Ｃ１−４アルキル−カルバモイル、スルファモイル、Ｎ−モノ−Ｃ１−４アルキルスルファモイル、Ｎ，Ｎ−ジ−Ｃ１−４アルキルスルファモイル、カルボキシ、Ｃ１−７アルコキシ−カルボニル、ヒドロキシ、Ｃ１−４アルコキシ、Ｃ２−５アルケニルオキシ、Ｃ３−７シクロアルキルオキシ、Ｃ７−９アラルキルオキシ、Ｃ６−１４アリールオキシ、メルカプト、Ｃ１−４アルキルチオ、Ｃ７−９アラルキルチオ、Ｃ６−１４アリールチオ、スルホ、シアノ、アジド、ニトロ、ニトロソおよびハロゲンから選ばれる１ないし３個の置換基を有していてもよい）またはヒドロキシ、Ｃ１−１０アルコキシ、Ｃ２−１０アルケニルオキシ、Ｃ７−１０アラルキルオキシ、Ｃ２−１３アシルオキシ、１または２個のハロゲンまたはＣ１−４アルコキシで置換されていてもよいＣ６−１４アリールオキシまたはＣ１−１０アルキルスルホニルオキシを示す〕で表される基および（xiv）オキソから選ばれる１ないし３個の置換基を有していてもよい、
（３）ヒドロキシ基、Ｃ１−１０アルコキシ基、Ｃ２−１０アルケニルオキシ基、Ｃ７−１０アラルキルオキシ基、Ｃ２−１３アシルオキシ基、１または２個のハロゲンまたはＣ１−４アルコキシで置換されていてもよいＣ６−１４アリールオキシ基、Ｃ１−１０アルキルスルホニルオキシ基またはＣ１−６アルキルで置換されていてもよいＣ６−１２アリールスルホニルオキシ基、
（４）フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいチオールまたはＣ１−１０アルキルチオ基、Ｃ１−６アルキルで置換されていてもよいＣ６−１４アリールチオ基、Ｃ７−１０アラルキルチオ基またはＣ２−１３アシルチオ基または
（５）Ｃ１−１０アルキル、Ｃ２−１０アルケニル、Ｃ３−１０シクロアルキル、Ｃ１−１０アシルおよびＣ６−１２アリールから選ばれる１または２個の置換基を有していてもよいアミノ基である請求項１記載の化合物。
【請求項１１】
Ａが（１）ホルミル基、Ｃ１−１０アルキル−カルボニル基、Ｃ３−１０シクロアルキル−カルボニル基、Ｃ３−１０アルケニル−カルボニル基、Ｃ３−１０シクロアルケニル−カルボニル基またはＣ６−１２アリール−カルボニル基（これらの基は、１ないし３個のＣ１−３アルキル、Ｃ１−３アルコキシ、ハロゲン、ニトロ、ヒドロキシまたはアミノで置換されていてもよい）、
（２）ピリジル、ピリミジニル、ピリダジニル、ピラジニル、ピロリル、イミダゾリル、ピラゾリル、イソオキサゾリル、イソチアゾリル、チアゾリル、オキサゾリル、１,２,４−オキサジアゾリル、１,２,４−トリアゾリル、１,２,３−トリアゾリル、テトラゾリル、ベンズイミダゾリル、インドリル、１Ｈ−インダゾリル、１Ｈ−ピロロ〔２,３−ｂ〕ピラジニル、１Ｈ−ピロロ〔２,３−ｂ〕ピリジニル、１Ｈ−イミダゾ〔４,５−ｂ〕ピリジニル、１Ｈ−イミダゾ〔４,５−ｃ〕ピリジニル、１Ｈ−イミダゾ〔４,５−ｂ〕ピラジニル、ピロリジニル、ピペリジニル、モルホリニル、ピペラジニル、ヘキサメチレンイミニル、オキサゾリジニル、チアゾリジニル、イミダゾリジニル、オキサゾリニル、チアゾリニルまたはオキサジニル基で、これらの基はそれぞれ（i）Ｃ１−１０アルキル基、Ｃ２−１０アルケニル基またはＣ２−１０アルキニル基、（ii）Ｃ３−１０シクロアルキル基、Ｃ３−１０シクロアルケニル基またはＣ４−１０シクロアルカジエニル基、（iii）Ｃ６−１４アリール基、（iv）フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル基、（v）オキシラニル、アゼチジニル、オキセタニル、チエタニル、テトラヒドロフリル、チオラニル、ピペリジル、テトラヒドロピラニル、モルホリニル、チオモルホリニル、ピペラジニル、ピロリジニル、ピペリジノ、モルホリノまたはチオモルホリノ基（前記（ii）、（iii）、（iv）および（v）はそれぞれＣ１−６アルキル、Ｃ２−６アルケニル、Ｃ２−６アルキニル、Ｃ３−７シクロアルキル、Ｃ６−１４アリール、チエニル、フリル、ピリジル、オキサゾリル、チアゾリル、テトラヒドロフリル、モルホリノ、ピペリジノ、ピロリジノ、ピペラジノ、Ｃ７−９アラルキル、アミノ、Ｎ−モノ−Ｃ１−４アルキルアミノ、Ｎ，Ｎ−ジ−Ｃ１−４アルキルアミノ、Ｃ２−８アシルアミノ、アミジノ、Ｃ２−８アシル、カルバモイル、Ｎ−モノ−Ｃ１−４アルキル−カルバモイル、Ｎ，Ｎ−ジ−Ｃ１−４アルキル−カルバモイル、スルファモイル、Ｎ−モノ−Ｃ１−４アルキルスルファモイル、Ｎ，Ｎ−ジ−Ｃ１−４アルキルスルファモイル、カルボキシ、Ｃ１−７アルコキシ−カルボニル、ヒドロキシ、Ｃ１−４アルコキシ、Ｃ２−５アルケニルオキシ、Ｃ３−７シクロアルキルオキシ、Ｃ７−９アラルキルオキシ、Ｃ６−１４アリールオキシ、メルカプト、Ｃ１−４アルキルチオ、Ｃ７−９アラルキルチオ、Ｃ６−１４アリールチオ、スルホ、シアノ、アジド、ニトロ、ニトロソおよびハロゲンから選ばれる１ないし３個の置換基を有していてもよい）、（vi）ハロゲン原子、（vii）ニトロ基、（viii）Ｃ１−１０アルキル、Ｃ２−１０アルケニル、Ｃ３−１０シクロアルキル、Ｃ１−１０アシルおよびＣ６−１２アリールから選ばれる１または２個の置換基を有していてもよいアミノ基、（ix）Ｃ１−３アルキル、Ｃ１−３アルコキシ、ハロゲン、ニトロ、ヒドロキシまたはアミノで置換されていてもよいＣ１−１３アシル基、（x）ヒドロキシ基、Ｃ１−１０アルコキシ基、Ｃ２−１０アルケニルオキシ基、Ｃ７−１０アラルキルオキシ基、Ｃ２−１３アシルオキシ基、１または２個のハロゲンまたはＣ１−４アルコキシで置換されていてもよいＣ６−１４アリールオキシ基、Ｃ１−１０アルキルスルホニルオキシ基またはＣ１−６アルキルで置換されていてもよいＣ６−１２アリールスルホニルオキシ基、（xi）フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいチオールまたはＣ１−１０アルキルチオ基、Ｃ１−６アルキルで置換されてい��もよいＣ６−１４アリールチオ基、Ｃ７−１０アラルキルチオ基またはＣ２−１３アシルチオ基、（xii）カルボキシ基、Ｃ１−４アルコキシ−カルボニル基、Ｃ７−９アラルキルオキシ−カルボニル基、Ｃ６−１４アリールオキシ−カルボニル基またはフリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいＣ１−４アルコキシ−カルボニル基、（xiii）式：−ＣＯＮ(Ｒ5)(Ｒ6)〔式中、Ｒ5およびＲ6はそれぞれ水素原子；Ｃ１−１０アルキル、Ｃ２−１０アルケニルまたはＣ２−１０アルキニル；Ｃ３−１０シクロアルキル、Ｃ３−１０シクロアルケニル、Ｃ４−１０シクロアルカジエニル、フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェ���トリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル（これらの基は、Ｃ１−６アルキル、Ｃ２−６アルケニル、Ｃ２−６アルキニル、Ｃ３−７シクロアルキル、Ｃ６−１４アリール、チエニル、フリル、ピリジル、オキサゾリル、チアゾリル、テトラヒドロフリル、モルホリノ、ピペリジノ、ピロリジノ、ピペラジノ、Ｃ７−９アラルキル、アミノ、Ｎ−モノ−Ｃ１−４アルキルアミノ、Ｎ，Ｎ−ジ−Ｃ１−４アルキルアミノ、Ｃ２−８アシルアミノ、アミジノ、Ｃ２−８アシル、カルバモイル、Ｎ−モノ−Ｃ１−４アルキル−カルバモイル、Ｎ，Ｎ−ジ−Ｃ１−４アルキル−カルバモイル、スルファモイル、Ｎ−モノ−Ｃ１−４アルキルスルファモイル、Ｎ，Ｎ−ジ−Ｃ１−４アルキルスルファモイル、カルボキシ、Ｃ１−７アルコキシ−カルボニル、ヒドロキシ、Ｃ１−４アルコキシ、Ｃ２−５アルケニルオキシ、Ｃ３−７シクロアルキルオキシ、Ｃ７−９アラルキルオキシ、Ｃ６−１４アリールオキシ、メルカプト、Ｃ１−４アルキルチオ、Ｃ７−９アラルキルチオ、Ｃ６−１４アリールチオ、スルホ、シアノ、アジド、ニトロ、ニトロソおよびハロゲンから選ばれる１ないし３個の置換基を有していてもよい）；またはヒドロキシ、Ｃ１−１０アルコキシ、Ｃ２−１０アルケニルオキシ、Ｃ７−１０アラルキルオキシ、Ｃ２−１３アシルオキシ、１または２個のハロゲンまたはＣ１−４アルコキシで置換されていてもよいＣ６−１４アリールオキシ、またはＣ１−１０アルキルスルホニルオキシを示す〕で表される基および（xiv）オキソから選ばれる１ないし３個の置換基を有していてもよい、
（３）ヒドロキシ基、Ｃ１−１０アルコキシ基、Ｃ２−１０アルケニルオキシ基、Ｃ７−１０アラルキルオキシ基、Ｃ２−１３アシルオキシ基、１または２個のハロゲンまたはＣ１−４アルコキシで置換されていてもよいＣ６−１４アリールオキシ基、Ｃ１−１０アルキルスルホニルオキシ基またはＣ１−６アルキルで置換されていてもよいＣ６−１２アリールスルホニルオキシ基、
（４）カルボキシ基、Ｃ１−４アルコキシ−カルボニル基、Ｃ７−９アラルキルオキシ−カルボニル基、Ｃ６−１４アリールオキシ−カルボニル基、またはフリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニルで置換されていてもよいＣ１−４アルコキシ−カルボニル基、または
（５）式：−ＣＯＮ(Ｒ5)(Ｒ6)〔式中、Ｒ5およびＲ6はそれぞれ水素原子；Ｃ１−１０アルキル、Ｃ２−１０アルケニルまたはＣ２−１０アルキニル；Ｃ３−１０シクロアルキル、Ｃ３−１０シクロアルケニル、Ｃ４−１０シクロアルカジエニル、フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル（これらの基は、Ｃ１−６アルキル、Ｃ２−６アルケニル、Ｃ２−６アルキニル、Ｃ３−７シクロアルキル、Ｃ６−１４アリール、チエニル、フリル、ピリジル、オキサゾリル、チアゾリル、テトラヒドロフリル、モルホリノ、ピペリジノ、ピロリジノ、ピペラジノ、Ｃ７−９アラルキル、アミノ、Ｎ−モノ−Ｃ１−４アルキルアミノ、Ｎ，Ｎ−ジ−Ｃ１−４アルキルアミノ、Ｃ２−８アシルアミノ、アミジノ、Ｃ２−８アシル、カルバモイル、Ｎ−モノ−Ｃ１−４アルキル−カルバモイル、Ｎ，Ｎ−ジ−Ｃ１−４アルキル−カルバモイル、スルファモイル、Ｎ−モノ−Ｃ１−４アルキルスルファモイル、Ｎ，Ｎ−ジ−Ｃ１−４アルキルスルファモイル、カルボキシ、Ｃ１−７アルコキシ−カルボニル、ヒドロキシ、Ｃ１−４アルコキシ、Ｃ２−５アルケニルオキシ、Ｃ３−７シクロアルキルオキシ、Ｃ７−９アラルキルオキシ、Ｃ６−１４アリールオキシ、メルカプト、Ｃ１−４アルキルチオ、Ｃ７−９アラルキルチオ、Ｃ６−１４アリールチオ、スルホ、シアノ、アジド、ニトロ、ニトロソおよびハロゲンから選ばれる１ないし３個の置換基を有していてもよい）；またはヒドロキシ、Ｃ１−１０アルコキシ、Ｃ２−１０アルケニルオキシ、Ｃ７−１０アラルキルオキシ、Ｃ２−１３アシルオキシ、１または２個のハロゲンまたはＣ１−４アルコキシで置換されていてもよいＣ６−１４アリールオキシ、またはＣ１−１０アルキルスルホニルオキシを示す〕で表さ��る基である請求項１記載の化合物。
【請求項１２】
Ｂがハロゲン、ニトロ、シアノ、１ないし３個のハロゲン、ヒドロキシもしくはＣ１−６アルコキシで置換されていてもよいＣ１−６アルコキシ、１ないし３個のハロゲン、ヒドロキシもしくはＣ１−６アルコキシで置換されていてもよいＣ１−６アルキル、および１ないし３個のハロゲン、ヒドロキシもしくはＣ１−６アルコキシで置換されていてもよいＣ３−７シクロアルキルから選ばれる１ないし３個の置換基を有していてもよいＣ６−１４アリール、フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４-チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル、ベンゾフラニル、イソベンゾフラニル、ベンゾ〔b〕チエニル、インドリル、イソインドリル、１Ｈ−インダゾリル、ベンゾイミダゾリル、ベンゾオキサゾリル、１,２−ベンゾイソオキサゾリル、ベンゾチアゾリル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、プテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジルまたは１,２,４−トリアゾロ〔４,３−ｂ〕ピリダジニル基である請求項１記載の化合物またはその塩。
【請求項１３】
Ｙが炭素数１〜７の２価の脂肪族炭化水素基である請求項１記載の化合物。
【請求項１４】
Ｙが炭素数２〜４の２価の脂肪族炭化水素基である請求項１記載の化合物。
【請求項１５】
Ｒ1が（i）ハロゲン原子、（ii）Ｃ１−１０アルキル、Ｃ６−１４アリールおよびＣ１−１０アルキルチオから選ばれる１ないし３個の置換基を有していてもよいイミダゾリル、ピラゾリル、１，２，４−トリアゾリル、１，２，３−トリアゾリル、ベンズイミダゾリル、ピロリジニル、ピペリジニル、モルホリニルまたはヘキサメチレンイミニル基、（iii）Ｃ１−１０アルコキシ基、（iv）Ｃ６−１４アリールオキシ基、（v）Ｃ１−１０アルキルチオ基、（vi）Ｃ１−６アルキルで置換されていてもよいＣ６−１４アリールチオ基、（vii）Ｃ１−６アルキルまたはＣ６−１４アリールで置換されていてもよいイミダゾリル、１，２，３−トリアゾリル、１，２，４−トリアゾリルまたはピリジルで置換されたチオール基、（viii）ピリジル−Ｃ１−４アルキルチオ基、または（ix）１または２個のＣ１−１０アルキルまたはＣ３−１０シクロアルキルで置換されていてもよいアミノ基；
Ａが（i）ホルミル基、（ii）Ｃ１−１０アルキルで置換されていてもよいイミダゾリル、ピラゾリル、１，２，４−トリアゾリル、１，２，３−トリアゾリル、チアゾリジニル、オキサゾリニル、チアゾリニル、２，４−ジオキソイミダゾリジニル、２，４−ジオキソオキサゾリジニルまたは２，４−ジオキソチアゾリジニル基、（iii）ヒドロキシ基、（iv）Ｃ１−４アルコキシで置換されていてもよいＣ６−１４アリールオキシ基、（v）Ｃ１−１０アルキルスルホニルオキシ基、（vi）Ｃ１−４アルコキシ−カルボニル基、（vii）Ｃ７−９アラルキルオキシ−カルボニル基、または（viii）式：−ＣＯＮ(Ｒ5)(Ｒ6)〔式中、Ｒ5およびＲ6はそれぞれ水素原子、またはＣ１−１０アルコキシまたはハロゲンで置換されていてもよいＣ１−１０アルキルを示す〕で表される基；
Ｂがハロゲンで置換されていてもよいフェニル基；および
Ｙが−（ＣＨ２）２−、−（ＣＨ２）３−、−（ＣＨ２）４−、−（ＣＨ２）５−または−（ＣＨ２）６−である請求項１記載の化合物。
【請求項１６】
Ｒ1が置換されていてもよい複素環基；Ａが置換されていてもよい複素環基；およびＹが炭素数１〜７の２価の脂肪族炭化水素基である請求項１記載の化合物。
【請求項１７】
Ｒ1およびＡで表される複素環基が、それぞれアゾリル基、アゾリニル基またはアゾリジニル基である請求項１６記載の化合物。
【請求項１８】
Ｒ1で表される複素環基がアゾリル基、およびＡで表される複素環基がアゾリル基、アゾリニル基またはアゾリジニル基である請求項１６記載の化合物。
【請求項１９】
Ｒ1およびＡで表されるアゾリル基、アゾリニル基およびアゾリジニル基が、ピロリル、イミダゾリル、ピラゾリル、イソオキサゾリル、イソチアゾリル、チアゾリル、オキサゾリル、１，２，４−オキサジアゾリル、１，２，４−トリアゾリル、１，２，３−トリアゾリル、テトラゾリル、ピロリジニル、オキサゾリジニル、チアゾリジニル、イミダゾリジニル、オキサゾリニルまたはチアゾリニル基である請求項１６記載の化合物。
【請求項２０】
Ｒ1がＣ１−１０アルキル、Ｃ６−１４アリールおよびＣ１−１０アルキルチオから選ばれる１ないし３個の置換基を有していてもよいアゾリル基である請求項１６記載の化合物。
【請求項２１】
アゾリル基が、イミダゾリル、ピラゾリル、１，２，４−トリアゾリルまたは１，２，３−トリアゾリル基である請求項２０記載の化合物。
【請求項２２】
Ａが１または２個のＣ１−１０アルキルまたはオキソ基で置換されていてもよいアゾリル、アゾリニルまたはアゾリジニル基である請求項１２記載の化合物。
【請求項２３】
ＡがＣ１−１０アルキルで置換されていてもよいイミダゾリル、ピラゾリル、１，２，４−トリアゾリル、１，２，３−トリアゾリル、チアゾリジニル、オキサゾリニル、チアゾリニル、２，４−ジオキソイミダゾリジニル、２，４−ジオキソオキサゾリジニルまたは２，４−ジオキソチアゾリジニル基である請求項１６記載の化合物。
【請求項２４】
Ｂが置換されていてもよいフェニル基である請求項１６記載の化合物。
【請求項２５】
Ｂがハロゲンで置換されていてもよいフェニル基である請求項１６記載の化合物。
【請求項２６】
Ｙが炭素数３〜５の２価の脂肪族炭化水素基である請求項１６記載の化合物。
【請求項２７】
Ｙが−（ＣＨ２）３−、−（ＣＨ２）４−または−（ＣＨ２）５−である請求項１６記載の化合物。
【請求項２８】
Ｒ1が置換されていてもよい複素環基；Ａが置換されていてもよいヒドロキシ基；およびＹが炭素数１〜７の２価の脂肪族炭化水素基である請求項１記載の化合物。
【請求項２９】
Ｒ1で表される複素環基がアゾリル基である請求項２８記載の化合物。
【請求項３０】
アゾリル基が、ピロリル、イミダゾリル、ピラゾリル、イソオキサゾリル、イソチアゾリル、チアゾリル、オキサゾリル、１，２，４−オキサジアゾリル、１，２，４−トリアゾリル、１，２，３−トリアゾリルまたはテトラゾリル基である請求項２９記載の化合物。
【請求項３１】
Ｒ1がＣ１−１０アルキル、Ｃ６−１４アリールおよびＣ１−１０アルキルチオから選ばれる１ないし３個の置換基を有していてもよいアゾリル基である請求項２８記載の化合物。
【請求項３２】
アゾリル基が、イミダゾリル、ピラゾリル、１，２，４−トリアゾリルまたは１，２，３−トリアゾリル基である請求項３１記載の化合物。
【請求項３３】
Ａが（i）ヒドロキシ基、（ii）Ｃ１−１０アルコキシ基、（iii）Ｃ２−１０アルケニルオキシ基、（iv）Ｃ７−１０アラルキルオキシ基、（v）Ｃ２−１３アシルオキシ基、（vi）１または２個のハロゲンまたはＣ１−４アルコキシで置換されていてもよいＣ６−１４アリールオキシ基、または（vii）Ｃ１−１０アルキルスルホニルオキシ基である請求項２８記載の化合物。
【請求項３４】
Ａがヒドロキシ基である請求項２８記載の化合物。
【請求項３５】
Ｂが置換されていてもよいフェニル基である請求項２８記載の化合物。
【請求項３６】
Ｂがハロゲンで置換されていてもよいフェニル基である請求項２８記載の化合物。
【請求項３７】
Ｙが炭素数３〜５の２価の脂肪族炭化水素基である請求項２８記載の化合物。
【請求項３８】
Ｙが−（ＣＨ２）３−、−（ＣＨ２）４−または−（ＣＨ２）５−である請求項２８記載の化合物。
【請求項３９】
４−（４−クロロフェニル）−２−（２−メチル−１−イミダゾリル）−５−オキサゾールプロパノールまたはその塩である請求項１記載の化合物。
【請求項４０】
４−（４−クロロフェニル）−２−（２−メチル−１−イミダゾリル）−５−オキサゾールブタノールまたはその塩である請求項１記載の化合物。
【請求項４１】
４−（４−クロロフェニル）−５−［３−（１−イミダゾリル）プロピル］−２−（２−メチル−１−イミダゾリル）オキサゾールまたはその塩である請求項１記載の化合物。
【請求項４２】
４−（４−クロロフェニル）−２−（２−メチル−１−イミダゾリル）−５−オキサゾールペンタノールまたはその塩である請求項１記載の化合物。
【請求項４３】
４−（４−クロロフェニル）−５−［４−（１−イミダゾリル）ブチル］−２−（２−メチル−１−イミダゾリル）オキサゾールまたはその塩である請求項１記載の化合物。
【請求項４４】
一般式
【化２】
1997323983.tif 000002
〔式中の記号は請求項１記載と同意義を示す。〕で表される化合物またはその塩とハロゲン化剤とを反応させることを特徴とする一般式
【化３】
1997323983.tif 000003
〔式中、Ｒ1ａはハロゲン原子、その他の記号は請求項１記載と同意義を示す。〕で表される化合物またはその塩の製造法。
【請求項４５】
一般式
【化４】
1997323983.tif 000004
〔式中、Ｒ1ａはハロゲン原子、その他の記号は請求項１記載と同意義を示す。〕で表される化合物またはその塩と一般式
【化５】
1997323983.tif 000005
〔式中、Ｒ1ｂは置換されていてもよい複素環基、置換されていてもよいヒドロキシ基、置換されていてもよいチオール基または置換されていてもよいアミノ基を示す。〕で表される化合物またはその塩とを反応させることを特徴とする一般式
【化６】
1997323983.tif 000006
〔Ｒ1ｂは置換されていてもよい複素環基、置換されていてもよいヒドロキシ基、置換されていてもよいチオール基または置換されていてもよいアミノ基、その他の記号は請求項１記載と同意義を示す。〕で表される化合物またはその塩の製造法。
【請求項４６】
請求項１記載の化合物またはその薬理学的に許容し得る塩を含有してなる医薬組成物。
【請求項４７】
インスリン分泌促進剤である請求項４６記載の医薬組成物。
【請求項４８】
糖尿病予防治療剤である請求項４６記載の医薬組成物。
【請求項４９】
Ｒ1が２−メチル−１−イミダゾリルである請求項１記載の化合物。
【請求項５０】
Ａが１ないし２個の置換基を有していてもよい炭素数６〜１４のアリールオキシ基である請求項１記載の化合物。
【請求項５１】
Ｂが４−クロロフェニルである請求項１記載の化合物。
【請求項５２】
Ｙが−（ＣＨ２）３−である請求項１記載の化合物。
【請求項５３】
Ｒ1が２−メチル−１−イミダゾリルである請求項２８記載の化合物。
【請求項５４】
Ａが１ないし２個の置換基を有していてもよい炭素数６〜１４のアリールオキシ基である請求項２８記載の化合物。
【請求項５５】
Ｂが４−クロロフェニルである請求項２８記載の化合物。
【請求項５６】
Ｙが−（ＣＨ２）３−である請求項２８記載の化合物。
【請求項５７】
２−クロロ−４−（４−クロロフェニル）−５−オキサゾールプロピオン酸メチルである請求項１記載の化合物。
【請求項５８】
メタンスルホン酸３−［４−（４−クロロフェニル）−２−（２−メチル−１−イミダゾリル）−５−オキサゾリル］プロピルである請求項１記載の化合物。
【請求項５９】
糖尿病性合併症の予防治療剤である請求項４６記載の医薬組成物。
【請求項６０】
糖尿病性合併症が神経障害である請求項５９記載の医薬組成物。